(57)【要約】【課題】リモート端末から、ＩＳＰの提供するサービス内容に束縛されずに、そして、特別な契約や料金を必要としないで、インターネットに接続する。【解決手段】利用者宅内のＡＤＳＬルータ１０は、リモート端末５１とＰＰＰ通信するためのアナログモデム１７とリモートアクセスサーバ部１６を有し、リモートアクセスサーバ部１６は、リモート端末５１の接続認証を行った後、リモート端末５１とＩＰルータ部１２間のＩＰ通信を中継し、ＩＰルータ部１２は、通信するＩＰパケットのＩＰアドレスにより、リモート端末５１とインターネット４０との接続あるいはリモート端末５１と利用者宅内のＬＡＮ２０との接続を行う。【選択図】      図１
2004222059.tif 000002
【特許請求の範囲】
【請求項１】
利用者の宅内に設備されるＬＡＮに収容されるＬＡＮ端末と、ＷＡＮであるインターネットに収容されるインターネット端末と、公衆網に収容され、利用者の宅外のリモート電話端末と、利用者の宅内に設備され、これらのＬＡＮ端末とインターネット端末とリモート電話端末との接続を制御するルータとを有して構成されるルータシステムであって、
前記ルータは、
前記リモート電話端末からの要求に応じて前記リモート電話端末とＩＰ通信を行い、前記リモート電話端末間で送受するＩＰパケットを中継制御するリモートアクセスサーバ手段と、
前記リモートアクセスサーバ手段が中継するＩＰパケットを、前記インターネット端末と前記ＬＡＮ端末とうちのいずれかに接続制御するＩＰルータ手段とを有することを特徴とするルータシステム。
【請求項２】
利用者の宅内に設備されるＬＡＮに収容されるＬＡＮ端末と、ＷＡＮであるインターネットに収容されるインターネット端末と、公衆網に収容され、利用者の宅外のリモート電話端末と、利用者の宅内に設備され、これらのＬＡＮ端末とインターネット端末とリモート電話端末との接続を制御するルータと、前記ルータと前記インターネット端末間で送受されるＡＤＳＬ（非対称デジタル加入者回線）信号と前記ルータと前記リモート電話端末間で送受される電話信号との混在信号である加入者回線信号を運び、前記ルータと前記インターネット端末間および前記リモート電話端末間を接続する加入者回線とを有して構成されるルータシステムであって、
前記リモート電話端末は、前記加入者回線を介して、ＩＰパケットを含む電話信号を前記ルータと送受信する手段を有し、
前記インターネット端末は、前記加入者回線を介して、ＩＰパケットを含むＡＤＳＬ信号を前記ルータと送受信する手段を有し、
前記ＬＡＮ端末は、ＩＰパケットを含むＬＡＮ信号を前記ルータと送受信する手段を有し、
前記ルータは、
前記加入者回線に接続され、前記加入者回線から加入者回線信号を受信し該加入者回線信号からＡＤＳＬ信号と電話信号とに分離して出力するとともに、入力するＡＤＳＬ信号と電話信号とを結合して加入者回線信号を生成し該加入者回線信号を前記加入者回線に送信するスプリッタと、
前記スプリッタにより分離される電話信号を使用して前記リモート電話端末との接続を確立し、前記リモート電話端末間に、前記スプリッタと前記加入者回線とを経由する電話データ通信路を形成するアナログモデムと、
前記スプリッタにより分離されるＡＤＳＬ信号を使用して前記インターネット端末との接続を確立し、前記インターネット端末間に、前記スプリッタと前記加入者回線とを経由するＡＤＳＬデータ通信路を形成するＡＤＳＬモデムと、
前記アナログモデムと前記スプリッタと前記加入者回線を経由する電話データ通信路により前記リモート電話端末とＰＰＰ通信してＩＰ通信接続を確立し、前記リモート電話端末と送受信するＩＰパケットを中継制御するリモートアクセスサーバと、
前記ＬＡＮ端末からの、または、前記ＬＡＮ端末へのＩＰパケットを中継制御するＬＡＮ制御部と、
前記ＡＤＳＬモデムと前記スプリッタと前記加入者回線を経由するＡＤＳＬデータ通信路により前記インターネット端末と送受信するＩＰパケットを中継制御するＷＡＮ制御部と、
前記ＬＡＮ制御部と前記ＷＡＮ制御部と前記リモートアクセスサーバ間のＩＰ通信のルーティング制御およびＩＰパケットの中継を行うＩＰルータ部とを有することを特徴とするルータシステム。
【請求項３】
前記リモートアクセスサーバは、前記リモート電話端末を、ユーザ識別番号とパスワードとによりユーザ認証し、前記リモート端末にＩＰアドレスを付与し、前記リモート端末とＩＰ通信を開始する手段を有し、
前記リモート端末は、付与されたＩＰアドレスを送信元アドレスとしてＩＰパケットを生成し、このＩＰパケットを前記リモートアクセスサーバに送る手段を有することを特徴とする請求項２記載のルータシステム。
【請求項４】
前記ルータは、前記ルータ内の機能を設定するルータ機能設定部を備え、
前記リモートアクセスサーバは、前記ルータ機能設定部にアクセスする手段を備え、
前記リモート電話端末は、前記リモートアクセスサーバを介して、前記ルータ機能設定部に設定されている機能の変更を要求する変更要求を、前記ルータ機能設定部に送る手段を有し、
前記ルータ機能設定部は、この変更要求により、機能の設定を変更する手段を有することを特徴とする請求項２記載のルータシステム。
【請求項５】
前記リモート電話端末は、前記リモートアクセスサーバを介して、前記ルータ機能設定部に設定されている機能の内容情報を要求する情報要求を、前記ルータ機能設定部に送る手段を有し、
前記ルータ機能設定部は、この情報要求により、設定されている機能の内容情報を、前記リモートアクセスサーバを介して、前記リモート電話端末に送る手段を有し、
前記リモート電話端末は、前記ルータ機能設定部からの機能の内容情報を表示する手段を、さらに、有することを特徴とする請求項４記載のルータシステム。
【請求項６】
前記ルータは、前記ルータ内の通信記録である通信ログを参照する通信ログ参照部を備え、
前記リモートアクセスサーバは、前記通信ログ参照部にアクセスする手段を備え、
前記リモート電話端末は、前記リモートアクセスサーバを介して、通信ログの参照を要求する参照要求を、前記通信ログ参照部に送る手段を有し、
前記通信ログ参照部は、この参照要求により、通信ログを前記リモート電話端末に送る手段を有し、
前記リモート電話端末は、前記通信ログ参照部からの通信ログを表示する手段を、さらに、有することを特徴とする請求項２記載のルータシステム。
【請求項７】
利用者宅内に電話端末を備え、
前記ルータのアナログモデムは、前記電話端末を収容する接続端子を備え、前記電話端末を、前記スプリッタと前記加入者回線を介し、前記リモート電話端末に接続する手段を有することを特徴とする請求項２記載のルータシステム。
【発明の詳細な説明】
【０００１】
【発明の属する技術分野】
本発明は、非対称デジタル加入者回線（以降、ＡＤＳＬ回線）を接続制御するＡＤＳＬルータとそのシステムに関する。
【０００２】
【従来の技術】
従来、一般に、利用者の宅内に用意したＡＤＳＬ回線接続装置は、自宅内のＬＡＮ端末からインターネットへの接続が可能としているが、利用者が外出先の電話端末からインターネット接続するときには、利用者は、外出先の電話端末から、インターネットサービスプロバイダ（以降、ＩＳＰ）に直接ダイヤルアップする必要があった。
【０００３】
一般のＩＳＰは、契約利用者のＬＡＮ端末とＡＤＳＬ回線とを常時接続するが、利用者からのダイヤルアップ接続にたいしては、従量課金もしくは別契約としている。また、あるＩＳＰは、昨今の急速なＡＤＳＬ技術の普及により、旧来のアナログモデムによるダイヤルアップ接続サービスを用意していない。
【０００４】
一般家庭のＡＤＳＬ回線接続装置は、ＡＤＳＬ接続サービスと電話回線接続サービスとの共用契約形態が多いため、ＡＤＳＬ接続サービスに加えてアナログモデム通信サービスも可能となっている場合が多い（例えば、特許文献１参照）。
【０００５】
【特許文献１】
特開平１１−３０８３５２号公報（第４頁、図１）
【０００６】
【発明が解決しようとする課題】
しかしながら、自宅から外出している利用者が、ＩＳＰの提供するサービス内容に束縛されずに、そして、特別な契約や料金を必要としないで、従来の、自宅内のＡＤＳＬ接続装置を利用して、外出先の電話端末からインターネットに接続することは出来ないという課題を有している。
【０００７】
本発明の目的は、従来のこの様な課題を解決し、自宅から外出している利用者がリモート電話端末から、ＩＳＰの提供するサービス内容に束縛されずに、そして、特別な契約や料金を必要としないで、インターネットに接続できる技術を提供することにある。
【０００８】
【課題を解決するための手段】
本発明のルータシステムは、利用者の宅内に設備されるＬＡＮに収容されるＬＡＮ端末と、ＷＡＮであるインターネットに収容されるインターネット端末と、公衆網に収容され、利用者の宅外のリモート電話端末と、利用者の宅内に設備され、これらのＬＡＮ端末とインターネット端末とリモート電話端末との接続を制御するルータとを有して構成されるルータシステムであって、
前記ルータは、
前記リモート電話端末からの要求に応じて前記リモート電話端末とＩＰ通信を行い、前記リモート電話端末間で送受するＩＰパケットを中継制御するリモートアクセスサーバ手段と、
前記リモートアクセスサーバ手段が中継するＩＰパケットを、前記インターネット端末と前記ＬＡＮ端末とうちのいずれかに接続制御するＩＰルータ手段とを有することを特徴とする。
【０００９】
また、本発明のルータシステムは、利用者の宅内に設備されるＬＡＮに収容されるＬＡＮ端末と、ＷＡＮであるインターネットに収容されるインターネット端末と、公衆網に収容され、利用者の宅外のリモート電話端末と、利用者の宅内に設備され、これらのＬＡＮ端末とインターネット端末とリモート電話端末との接続を制御するルータと、前記ルータと前記インターネット端末間で送受されるＡＤＳＬ（非対称デジタル加入者回線）信号と前記ルータと前記リモート電話端末間で送受される電話信号との混在信号である加入者回線信号を運び、前記ルータと前記インターネット端末間および前記リモート電話端末間を接続する加入者回線とを有して構成されるルータシステムであって、
前記リモート電話端末は、前記加入者回線を介して、ＩＰパケットを含む電話信号を前記ルータと送受信する手段を有し、
前記インターネット端末は、前記加入者回線を介して、ＩＰパケットを含むＡＤＳＬ信号を前記ルータと送受信する手段を有し、
前記ＬＡＮ端末は、ＩＰパケットを含むＬＡＮ信号を前記ルータと送受信する手段を有し、
前記ルータは、
前記加入者回線に接続され、前記加入者回線から加入者回線信号を受信し該加入者回線信号からＡＤＳＬ信号と電話信号とに分離して出力するとともに、入力するＡＤＳＬ信号と電話信号とを結合して加入者回線信号を生成し該加入者回線信号を前記加入者回線に送信するスプリッタと、
前記スプリッタにより分離される電話信号を使用して前記リモート電話端末との接続を確立し、前記リモート電話端末間に、前記スプリッタと前記加入者回線とを経由する電話データ通信路を形成するアナログモデムと、
前記スプリッタにより分離されるＡＤＳＬ信号を使用して前記インターネット端末との接続を確立し、前記インターネット端末間に、前記スプリッタと前記加入者回線とを経由するＡＤＳＬデータ通信路を形成するＡＤＳＬモデムと、
前記アナログモデムと前記スプリッタと前記加入者回線を経由する電話データ通信路により前記リモート電話端末とＰＰＰ通信してＩＰ通信接続を確立し、前記リモート電話端末と送受信するＩＰパケットを中継制御するリモートアクセスサーバと、
前記ＬＡＮ端末からの、または、前記ＬＡＮ端末へのＩＰパケットを中継制御するＬＡＮ制御部と、
前記ＡＤＳＬモデムと前記スプリッタと前記加入者回線を経由するＡＤＳＬデータ通信路により前記インターネット端末と送受信するＩＰパケットを中継制御するＷＡＮ制御部と、
前記ＬＡＮ制御部と前記ＷＡＮ制御部と前記リモートアクセスサーバ間のＩＰ通信のルーティング制御およびＩＰパケットの中継を行うＩＰルータ部とを有することを特徴とする。
【００１０】
さらに、本発明のルータシステムは、前記リモートアクセスサーバが、前記リモート電話端末を、ユーザ識別番号とパスワードとによりユーザ認証し、前記リモート端末にＩＰアドレスを付与し、前記リモート端末とＩＰ通信を開始する手段を有し、
前記リモート端末は、付与されたＩＰアドレスを送信元アドレスとしてＩＰパケットを生成し、このＩＰパケットを前記リモートアクセスサーバに送る手段を有することを特徴とする。
【００１１】
また、本発明のルータシステムは、前記ルータが、前記ルータ内の機能を設定するルータ機能設定部を備え、
前記リモートアクセスサーバは、前記ルータ機能設定部にアクセスする手段を備え、
前記リモート電話端末は、前記リモートアクセスサーバを介して、前記ルータ機能設定部に設定されている機能の変更を要求する変更要求を、前記ルータ機能設定部に送る手段を有し、
前記ルータ機能設定部は、この変更要求により、機能の設定を変更する手段を有することを特徴とする。
【００１２】
さらに、本発明のルータシステムは、前記リモート電話端末が、前記リモートアクセスサーバを介して、前記ルータ機能設定部に設定されている機能の内容情報を要求する情報要求を、前記ルータ機能設定部に送る手段を有し、
前記ルータ機能設定部は、この情報要求により、設定されている機能の内容情報を、前記リモートアクセスサーバを介して、前記リモート電話端末に送る手段を有し、
前記リモート電話端末は、前記ルータ機能設定部からの機能の内容情報を表示する手段を、さらに、有することを特徴とする。
【００１３】
また、本発明のルータシステムは、前記ルータが、前記ルータ内の通信記録である通信ログを参照する通信ログ参照部を備え、
前記リモートアクセスサーバは、前記通信ログ参照部にアクセスする手段を備え、
前記リモート電話端末は、前記リモートアクセスサーバを介して、通信ログの参照を要求する参照要求を、前記通信ログ参照部に送る手段を有し、
前記通信ログ参照部は、この参照要求により、通信ログを前記リモート電話端末に送る手段を有し、
前記リモート電話端末は、前記通信ログ参照部からの通信ログを表示する手段を、さらに、有することを特徴とする。
【００１４】
さらに、本発明のルータシステムは、利用者宅内に電話端末を備え、
前記ルータのアナログモデムは、前記電話端末を収容する接続端子を備え、前記電話端末を、前記スプリッタと前記加入者回線を介し、前記リモート電話端末に接続する手段を有することを特徴とする。
【００１５】
【発明の実施の形態】
次に、本発明の実施の形態について図面を参照して詳細に説明する。
【００１６】
図１は、本発明の第１実施形態によるＡＤＳＬルータの構成と、このＡＤＳＬルータにより構成されるＡＤＳＬルータシステムの構成を示す図である。
【００１７】
図１を参照して、ＡＤＳＬルータシステムは、利用者の宅内に設備されているＡＤＳＬルータ１０とＬＡＮ端末２１を有するＬＡＮ２０と、ＷＡＮ（ＷｉｄｅＡｒｅａ  Ｎｅｔｗｏｒｋ）であるインターネット４０に収容されているインターネット端末４１と、公衆網３０に収容されているリモート端末５１とを有して構成される。
【００１８】
インターネット端末４１は、非対称デジタル加入者回線（以降、ＡＤＳＬ）信号を、ＡＤＳＬ回線４２と加入者回線３１により、公衆網３０を介してＡＤＳＬルータ１０と送受信する機能を有す。
【００１９】
リモート端末５１は、ＩＰ（Ｉｎｔｅｒｎｅｔ  Ｐｒｏｔｏｃｏｌ）通信機能を有する電話端末で、アナログモデム５３を有し、音声周波数帯域信号である電話信号を、電話回線５２と加入者回線３１により、公衆網３０を介して、ＡＤＳＬルータ１０と送受信する機能を有す。
【００２０】
公衆網３０は、インターネット端末４１のＡＤＳＬ信号とリモート端末５１の電話信号とが混在する加入者回線信号を、加入者回線３１を介して、ＡＤＳＬルータ１０と送受信する機能を有す。
【００２１】
ＬＡＮ端末２１は、ＬＡＮ信号を、ＬＡＮ回線２２を介して、ＡＤＳＬルータと送受信する機能を有する。
【００２２】
ＡＤＳＬルータ１０は、ＬＡＮ回線２２と加入者回線３１とを収容し、リモート端末５１とＬＡＮ端末２１との通信制御およびリモート端末５１とインターネット端末４１との通信制御を行う。
【００２３】
ＡＤＳＬルータ１０の詳細構成を説明する。
【００２４】
図１を参照して、ＡＤＳＬルータ１０は、ＬＡＮ制御部１１と、ＩＰルータ部１２と、ＷＡＮ制御部１３と、ＡＤＳＬモデム１４と、ＤＳＬ（ＤｉｇｉｔａｌＳｕｂｓｃｒｉｂｅｒ  Ｌｉｎｅ）スプリッタ１５と、リモートアクセスサーバ部１６と、アナログモデム１７とを有して構成される。
【００２５】
ＤＳＬスプリッタ１５は、リモート端末５１が送受する音声周波数帯域信号である電話信号とインターネット端末４１が送受する音声周波数帯域外信号であるＡＤＳＬ信号とが混在する加入者回線信号を運ぶ加入者回線３１に接続され、加入者回線３１から加入者回線信号を受けると、この加入者回線信号から電話信号とＡＤＳＬ信号とに分離し、電話信号をアナログモデム１７に送り、ＡＤＳＬ信号をＡＤＳＬモデム１４に送る機能を有する。また、ＤＳＬスプリッタ１５は、アナログモデム１７からの電話信号とＡＤＳＬモデム１４からのＡＤＳＬ信号とを結合して加入者回線信号を生成し、この加入者回線信号を加入者回線３１に送出する機能を有する。
【００２６】
ＡＤＳＬモデム１４は、ＤＳＬスプリッタ１５で分離されるＡＤＳＬ信号を使用して、ＷＡＮ制御部１３からの接続指示により、ＡＤＳＬ回線の接続をし、そして、ＡＤＳＬ回線上でデータ通信を行う機能を有する。
【００２７】
ＷＡＮ制御部１３は、ＡＤＳＬモデム１４を経由してインターネット４０とのＩＰ（Ｉｎｔｅｒｎｅｔ  Ｐｒｏｔｏｃｏｌ）通信を中継制御する機能を有する。
【００２８】
アナログモデム１７は、ＤＳＬスプリッタ１５で分離される電話信号を使用して、リモート端末５１との電話回線接続の確立とリモート端末５１とデータ通信を行う機能を有する。
【００２９】
リモートアクセスサーバ部１６は、アナログモデム１７を介してリモート端末５１とＰＰＰ（Ｐｏｉｎｔ  ｔｏ  Ｐｏｉｎｔ  Ｐｒｏｔｏｃｏｌ）通信を行いリモート端末５１の接続認証を行った上でＩＰルータ部１２とリモート端末５１とのＩＰ通信を中継する機能を有する。
【００３０】
ＬＡＮ制御部１１は、ＬＡＮ端末２１とＩＰルータ部１２とのＩＰ通信を中継制御する機能を有する。
【００３１】
ＩＰルータ部１２は、ＬＡＮ制御部１１とＷＡＮ制御部１３とリモートアクセスサーバ部１６間のＩＰ通信のルーティング制御およびＩＰ通信の中継を行う機能を有する。すなわち、ＩＰルータ部１２は、ルーティング情報を管理し、ＬＡＮ制御部１１またはＷＡＮ制御部１３またはリモートアクセスサーバ部１６から受け取ったＩＰパケットの宛先を確認して、ＩＰパケットの送出先を決定し、当該ＩＰパケットをＬＡＮ制御部１１またはＷＡＮ制御部１３またはリモートアクセスサーバ部１６に送る。また、ＩＰルータ部１２は、ＡＤＳＬルータ１０の機能を設定するルータ機能設定部１２１とＡＤＳＬルータ１０の通信記録である通信ログを参照する通信ログ参照部１２２を有する。
【００３２】
次に、本発明の実施形態の動作について図面を参照して詳細に説明する。
【００３３】
図１を参照して、動作を説明する。
【００３４】
まず、ＬＡＮ２０上のＬＡＮ端末２１とインターネット４０上のインターネット端末４１間の接続と通信の動作を説明する。
【００３５】
ＬＡＮ端末２１は、インターネット４０上のインターネット端末４１宛の、ＩＰパケットを含むＬＡＮデータフレームを、ＬＡＮ回線２２を介して、ＡＤＳＬルータ１０に送信する。
【００３６】
ＡＤＳＬルータ１０のＬＡＮ制御部１１は、ＬＡＮ端末２１からＬＡＮデータフレームを受信すると、このＬＡＮデータフレームからＩＰパケットを取り出し、このＩＰパケットをＩＰルータ部１２に送る。
【００３７】
ＩＰルータ部１２は、ＬＡＮ制御部１１からＩＰパケットを受けると、このＩＰパケットから、このＩＰパケットの宛先ＩＰアドレスを確認し、この宛先ＩＰアドレスがインターネット端末４１であるとき、このＩＰパケットをＷＡＮ制御部１３に送る。
【００３８】
ＷＡＮ制御部１３は、ＩＰルータ部１２からＩＰパケットを受けると、このＩＰパケットをＰＰＰ通信用フレームでカプセル化し、カプセル化されたＩＰパケットを、ＡＤＳＬモデム１４に送る。
【００３９】
ＡＤＳＬモデム１４は、ＷＡＮ制御部１３から、カプセル化されたＩＰパケットを受けると、このＩＰパケットをＡＤＳＬ信号に変換し、そして、このＡＤＳＬ信号を、ＤＳＬスプリッタ１５を介して、加入者回線３１に送出する。
【００４０】
このＡＤＳＬ信号は、加入者回線３１と公衆網３０とＡＤＳＬ回線４２を流れ、インターネット４０上のインターネット端末４１に到着する。
【００４１】
以上の動作により、ＡＤＳＬルータ１０は、ＬＡＮ端末２１からのＩＰパケットを、インターネット４０上のインターネット端末４１に送達する。
【００４２】
一方、インターネット４０上のインターネット端末４１がＬＡＮ端末２１宛てにＩＰパケットを送るとき、インターネット端末４１は、まず、宛先ＩＰアドレスを含むＩＰパケットをＰＰＰ通信用フレームでカプセル化し、カプセル化されたＩＰパケットをＡＤＳＬ信号に変換し、このＡＤＳＬ信号を加入者回線信号として、ＡＤＳＬ回線４２と加入者回線３１を介して、ＡＤＳＬルータ１０に送信する。
【００４３】
ＡＤＳＬルータ１０のＤＳＬスプリッタ１５は、加入者回線３１からＡＤＳＬ信号を含む加入者回線信号を受け、この加入者回線信号からＡＤＳＬ信号を分離、抽出し、そして、このＡＤＳＬ信号をＡＤＳＬモデム１４に送る。
【００４４】
ＡＤＳＬモデム１４は、ＤＳＬスプリッタ１５からＡＤＳＬ信号を受けると、このＡＤＳＬ信号からＩＰパケット信号に変換し、このＩＰパケット信号をＷＡＮ制御部１３に送る。
【００４５】
ＷＡＮ制御部１３は、ＡＤＳＬモデム１４からＩＰパケット信号を受けると、ＰＰＰ通信用フレームからＩＰパケットを取り出し、このＩＰパケットをＩＰルータ部１２に送る。
【００４６】
ＩＰルータ部１２は、ＷＡＮ制御部１３からＩＰパケットを受けると、このＩＰパケットの宛先ＩＰアドレスを確認し、この宛先ＩＰアドレスがＬＡＮ２０であることを判断し、このＩＰパケットをＬＡＮ制御部１１に送る。
【００４７】
ＬＡＮ制御部１１は、ＩＰルータ部１２からＩＰパケットを受けると、このＩＰパケットをＬＡＮデータフレームでカプセル化し、カプセル化されたＩＰパケットをＬＡＮ２０上に送信する。そして、ＬＡＮ２０は、このＩＰパケットをＬＡＮ端末２１に送達する。
【００４８】
以上の動作により、ＡＤＳＬルータ１０は、インターネット４０上のインターネット端末４１からのＩＰパケットをＬＡＮ端末２１に送達する。
【００４９】
ここまでは、ＡＤＳＬルータ１０が、既存の機能を利用して、ＡＤＳＬ回線により、ＷＡＮ（Ｗｉｄｅ  Ａｒｅａ  Ｎｅｔｗｏｒｋ）であるインターネットと接続する処理である。
【００５０】
本発明によるＡＤＳＬルータは、さらにリモートアクセスサーバ部１６とアナログモデム１７が付加されて構成され、リモート端末５１をＬＡＮ２０あるいはインターネット４０に接続する。
【００５１】
以下、リモート端末５１とＬＡＮ２０上のＬＡＮ端末２１及びインターネット４０上のインターネット端末４１間の接続と通信の動作を説明する。
【００５２】
まず、リモート端末５１は、ＡＤＳＬルータ１０との接続を確立するため、ＡＤＳＬルータ１０との接続を要求する発呼信号を、自己が所有するアナログモデム５３から、電話回線５２により公衆網３０へ送る。
【００５３】
公衆網３０は、この発呼信号を受けて、呼び出し信号を加入者回線信号として加入者回線３１を介して、ＡＤＳＬルータ１０に送信する。
【００５４】
ＡＤＳＬルータ１０のＤＳＬスプリッタ１５は、加入者回線３１から呼び出し信号を含む加入者回線信号を受け、この加入者回線信号から呼び出し信号を分離、抽出し、そして、この呼び出し信号をアナログモデム１７に送る。
【００５５】
アナログモデム１７は、この呼び出し信号を受信して着信処理をし、リモート端末５１のアナログモデム５３との接続を確立する。
【００５６】
アナログモデム５３とアナログモデム１７間接続により、リモート端末５１とリモートアクセスサーバ部１６間のデータ通信路が形成される。
【００５７】
このデータ通信路を使用して、リモートアクセスサーバ部１６はリモート端末５１とＰＰＰ通信を行うことができる。
【００５８】
リモート端末５１が、ユーザ識別番号（以降、ユーザＩＤ）とパスワードをリモートアクセスサーバ部１６に送ると、リモートアクセスサーバ部１６は、ＰＰＰ認証フェーズを使い、リモート端末５１から送信されるユーザＩＤとパスワードにより、リモート端末５１のユーザ認証を行う。すなわち、リモートアクセスサーバ部１６は、予め登録されているユーザＩＤおよびパスワードとリモート端末５１から送信されるユーザＩＤおよびパスワードとを照合してユーザ認証をすると、リモート端末５１にＩＰアドレスを付与する。付与されるＩＰアドレスは、ＩＰルータ部１２およびリモートアクセスサーバ部１６にて、予め、端末に設定するために用意されているＩＰアドレスである。
【００５９】
リモート端末１３は、付与されたＩＰアドレスを送信元アドレスとしてＩＰパケットを送信し、そして、リモートアクセスサーバ部８は、リモート端末１３からのＩＰパケットを受け、このＩＰパケットをＩＰルータ部４に送る。
【００６０】
以上の動作により、リモート端末１３とＩＰルータ部４間のＩＰ通信が実現される。
【００６１】
次に、リモート端末５１は、宛先ＩＰアドレスを含むＩＰパケットをＰＰＰ通信用データフレームでカプセル化し、このデータフレームを、アナログモデム５３と電話回線５２と加入者回線３１とを介して、ＡＤＳＬルータ１０に送信する。
【００６２】
ＡＤＳＬルータ１０のリモートアクセスサーバ部１６は、ＤＳＬスプリッタ１５とアナログモデム１７を介して、リモート端末５１からのデータフレームを受けると、このデータフレームからＩＰパケットを取り出し、このＩＰパケットをＩＰルータ部１２に送る。
【００６３】
ＩＰルータ部１２は、リモートアクセスサーバ部１６からＩＰパケットを受けると、このＩＰパケットの宛先ＩＰアドレスを確認し、この宛先ＩＰアドレスがＬＡＮ２０のＬＡＮ端末２１であるときは、このＩＰパケットをＬＡＮ制御部１０に送り、一方、この宛先ＩＰアドレスがインターネット４０上のインターネット端末４１であるときは、このＩＰパケットをＷＡＮ制御部５に送る。
【００６４】
宛先ＩＰアドレスがＬＡＮ２０のＬＡＮ端末２１であるとき、ＬＡＮ制御部１１は、ＩＰルータ部１２からＩＰパケットを受けると、このＩＰパケットをＬＡＮデータフレームでカプセル化し、カプセル化されたＩＰパケットをＬＡＮ２０上に送信する。そして、ＬＡＮ２０は、このＩＰパケットをＬＡＮ端末２１に送達する。
【００６５】
一方、宛先ＩＰアドレスがインターネット４０上のインターネット端末４１であるとき、ＷＡＮ制御部１３は、ＩＰルータ部１２からＩＰパケットを受けると、このＩＰパケットをＰＰＰ通信用データフレームでカプセル化し、カプセル化されたＩＰパケットを、ＡＤＳＬモデム１４とＤＳＬスプリッタ１５を介して、加入者回線３１に送出する。カプセル化されたＩＰパケットは、加入者回線３１とＡＤＳＬ回線４２を経由して、インターネット４０上のインターネット端末４１に到達する。
【００６６】
以上の動作により、ＡＤＳＬルータ１０は、リモート端末５１からのＩＰパケットを、ＬＡＮ２０上のＬＡＮ端末２１とインターネット４０上のインターネット端末４１とのうちのいずれかに送達する。
【００６７】
以上により、アナログモデム５３を有するリモート端末５１が、電話回線５２を利用してＬＡＮ端末２１との通信とができるとともに、ＡＤＳＬ回線４２を利用してインターネット通信を行うことが可能になる。これらの通信の履歴は、通信毎に、通信ログに記憶される。
【００６８】
さらに、リモート端末５１は、リモートアクセスサーバ部１６と接続が確立した後、リモートアクセスサーバ部１６を介して、ルータ機能設定部１２１と通信ログ参照部１２２にアクセスできる。
【００６９】
すなわち、利用者が、リモート端末５１から、リモートアクセスサーバ部１６を介して、設定されている機能の変更を要求する指示をルータ機能設定部１２１に送ると、ルータ機能設定部１２１は、設定されている機能を変更する。
【００７０】
また、利用者が、リモート端末５１から、リモートアクセスサーバ部１６を介して、設定されている機能の確認のための指示をルータ機能設定部１２１に送ると、ルータ機能設定部１２１は、設定されている機能の内容情報をリモート端末５１に送る。
【００７１】
さらに、利用者が、リモート端末５１から、リモートアクセスサーバ部１６を介して、通信ログを要求する指示を通信ログ参照部１２２に送ると、通信ログ参照部１２２は、通信ログをリモート端末５１に送る。
【００７２】
以上のように、外出している利用者は、リモート端末５１から、自宅内のＡＤＳＬルータ１０のルータ機能にアクセスできる。
【００７３】
次に、第２実施形態について説明する。
【００７４】
図２は、本発明の第２実施形態によるＡＤＳＬルータの構成と、このＡＤＳＬルータにより構成されるＡＤＳＬネットワークシステムの構成を示す図である。
【００７５】
第２実施形態によるＡＤＳＬネットワークシステムは、ＬＡＮ２０に収容されているＬＡＮ端末２１と、インターネット４０に収容されているインターネット端末４１と、公衆網３０に収容されているリモート端末５１と電話端末６２と、宅内の電話端末６１と、これらの電話端末６１と電話端末６２とＬＡＮ端末２１とインターネット端末４１とリモート端末５１とを接続制御するＡＤＳＬルータ１０−１を有して構成される。
【００７６】
電話端末６１と電話端末６２とＡＤＳＬルータ１０−１以外の構成要素は、第１実施形態のものと同じである。よって、異なる構成要素のみを説明する。
【００７７】
電話端末６１と電話端末６２は、一般の家庭で使われる電話機とＦＡＸを含むアナログ電話端末である。
【００７８】
ＡＤＳＬルータ１０−１は、ＤＳＬスプリッタ１５と、ＡＤＳＬモデム１４とＷＡＮ制御部１３と、アナログモデム１７−１と、リモートアクセスサーバ部１６と、ＬＡＮ制御部１１と、ＩＰルータ部１２を有して構成される。
【００７９】
アナログモデム１７−１以外の構成要素は、第１実施形態のＡＤＳＬルータ１０の構成要素と同じである。よって、アナログモデム１７−１のみを説明する。
【００８０】
アナログモデム１７−１は、第１実施形態を構成するアナログモデム１７が有する機能に加えて、電話端末６１を接続する電話端末接続端子を有し、そして、加入者回線３１で運ばれる電話信号を、電話端末６１とリモートアクセスサーバ部１６とのうちのいずれかに接続する選択接続制御機能を有する。
【００８１】
動作を説明する。
【００８２】
電話端末６１は、公衆網３０に収容されている電話端末６２との接続を要求するため、発呼信号（オフフックによる信号）を発する。
アナログモデム１７−１は、発呼信号を受け、この発呼信号を、ＤＳＬスプリッタ１５と加入者回線３１を介し、公衆網３０へ送る。
【００８３】
公衆網３０は、この発呼信号を受け、電話端末６２に呼出信号を送る。
電話端末６２が、呼出信号に応ずれば、公衆網３０は、ＡＤＳＬルータ１０−１に接続されている電話端末６１と電話端末６２とを接続する。
【００８４】
アナログモデム１７−１は、電話端末６１と電話端末６２との接続中においては、リモート端末５１とリモートアクセスサーバ部１６との接続はしない。
【００８５】
【発明の効果】
以上説明したように、本発明は、利用者宅内のＡＤＳＬルータに、リモート端末とＰＰＰ通信できるリモートアクセスサーバ機能を有して構成されているので、外出している利用者が、このＡＤＳＬルータを使い、特別な契約や料金を必要としないで、リモート端末からインターネットに接続できるという効果がある。
【００８６】
また、本発明は、利用者宅内のＡＤＳＬルータに、リモート端末とＰＰＰ通信できるリモートアクセスサーバ機能を有して構成されているので、外出している利用者が、このＡＤＳＬルータを使い、リモート端末から自宅のＬＡＮ端末にアクセスできるという効果がある。
【００８７】
さらに、本発明は、利用者宅内のＡＤＳＬルータに、リモート端末とＰＰＰ通信できるリモートアクセスサーバ機能を有して構成されているので、外出している利用者が、リモート端末から、ＡＤＳＬルータ内のルータ機能の設定や通信ログの確認を行うことができるという効果がある。
【図面の簡単な説明】
【図１】本発明の第１実施形態によるＡＤＳＬルータの構成と、このＡＤＳＬルータにより構成されるＡＤＳＬルータシステムの構成を示すである。
【図２】本発明の第２実施形態によるＡＤＳＬルータの構成と、このＡＤＳＬルータにより構成されるＡＤＳＬルータシステムの構成を示す図である。
【符号の説明】
１０    ＡＤＳＬルータ
１１    ＬＡＮ制御部
１２    ＩＰルータ部
１３    ＷＡＮ制御部
１４    ＡＤＳＬモデム
１５    ＤＳＬスプリッタ
１６    リモートアクセスサーバ部
１７    アナログモデム
２０    ＬＡＮ
２１    ＬＡＮ端末
３０    公衆網
３１    加入者回線
４０    インターネット
４１    インターネット端末
４２    ＡＤＳＬ回線
５１    リモート端末
５２    電話回線
６１、６２    電話端末
【図１】
2004222059.tif 000003
【図２】
2004222059.tif 000004